(57)【特許請求の範囲】
【請求項１】
テープガイドポストが立っているテープガイドポストアームが回動可能に支持されており、該テープガイドポストアームがストッパに押し当たる位置まで回動されて、上記テープガイドポストが装着されたカセットから磁気テープを引き出し、カセットから引き出された磁気テープに記録再生を行なう磁気テープ記録再生装置において、
上記テープガイドポストアームを、その一部に、カセットから磁気テープを引き出すように回動したときに、装着されたカセットの底面に当たる当接部分を設けた構成とし、
該テープガイドポストアームが上記ストッパに押し当たった状態において、上記当接部分が装着されたカセットの底面に当たって、該テープガイドポストアームが上記テープガイドポストが倒れる方向に傾斜することを制限するようにしたことを特徴とする磁気テープ記録再生装置のテープガイドポスト機構。
【請求項２】
上記当接部分は、上記テープガイドポストアームが回動して上記ストッパに押し当たるより以前に、上記装着されたカセットの底面側に入り込む構成である請求項１記載の磁気テープ記録再生装置のテープガイドポスト機構。
【請求項３】
上記当接部分は、上記テープガイドポストアームが回動したときに上記装着されたカセットの底面側に最初に入り込む側に傾斜面である潜り込みガイド部を有する構成である請求項１記載の磁気テープ記録再生装置のテープガイドポスト機構。
【請求項４】
軸受け部を有し且つテープガイドポストが立っているテープガイドポストアームがその軸受け部を軸に嵌合させて回動可能に支持されており、カセットがその底面で上記軸受け部の上端面を押して装着され、該テープガイドポストアームがストッパに押し当たる位置まで回動されて、上記テープガイドポストが装着されたカセットから磁気テープを引き出し、カセットから引き出された磁気テープに記録再生を行なう磁気テープ記録再生装置において、
上記テープガイドポストアームを、その一部に、上面が上記軸受け部の上端面と同じ高さとされて形成してあり、カセットから磁気テープを引き出すように回動したときに、装着されたカセットの底面に当たる当接部分を設けた構成とし、該テープガイドポストアームが上記ストッパに押し当たった状態において、上記当接部分が装着されたカセットの底面に当たって、該テープガイドポストアームが上記テープガイドポストが倒れる方向に傾斜することを制限するようにしたことを特徴とする磁気テープ記録再生装置のテープガイドポスト機構。
【発明の詳細な説明】
【０００１】
【発明の属する技術分野】
本発明は磁気テープ記録再生装置のテープガイドポスト機構に係り、特に、コンピュータ装置の大容量の外部記憶装置として使用されるＤＡＴ（Digital Audio Tape Recorder)ストリーマの装着されたカセットより磁気テープを引き出して案内するテープガイドポストの倒れを防止する機構に関する。
【０００２】
ＤＡＴストリーマは、ＤＡＴテープカセットを使用し、テープガイドポストによって磁気テープをＤＡＴテープカセットの外に引出し、磁気テープをキャプスタンとピンチローラとによって挟持駆動させてテープガイドポストに案内させて走行させ、磁気テープへの情報の記録及び再生は高速回転する回転ドラム（回転ヘッド）によって行う構成である。磁気テープの走行が安定に行なわれるためには、テープガイドポストが倒れていず（傾斜していず）に垂直であることが必要である。テープガイドポストに倒れがあると、磁気テープがテープガイドポストによって案内されつつ走行するときに、磁気テープをその幅方向に寄せる無用な力が発生し、特に、倒れが大きい場合には、磁気テープの幅方向の端を傷めたり、トラッキングにずれが発生して記録再生が正常に行なわれなくなってしまうからである。
【０００３】
【従来の技術】
図７及び図８（Ａ），（Ｂ）はＤＡＴストリーマの供給リール側の従来のテープガイドポスト機構１０を示す。このテープガイドポスト機構１０は、テープガイドポストアーム１１と、テープガイドポスト１２と、ストッパ１３と、引きアーム１４等を有する。テープガイドポストアーム１１は、基部側に軸受け部１１ａを有し、先端側にテープガイドポスト１２が固定してあり、中央部に筒部１１ｂを有する。テープガイドポストアーム１１は、軸受け部１１ａをシャーシ１５に植設してある固定軸１６に嵌合させて回動可能に支持されている。引きアーム１４の端に植設してあるポール１７が、筒部１１ｂに下側から嵌合している。
【０００４】
ＤＡＴテープカセット２０が装着されたのち、引きアーム１４がＡ方向に移動され、テープガイドポストアーム１１がポール１７によって引かれて固定軸１６を中心にＢ方向に回動され、テープガイドポスト１２がＤＡＴテープカセット２０から磁気テープ２６を引出す。テープガイドポストアーム１１は先端側がストッパ１３に押し当たった状態とされ、テープガイドポスト１２が位置決めされ、磁気テープ２６がテープカセット本体のうち供給リール側から引き出された直後の位置で、磁気テープ２６を案内する。
【０００５】
【発明が解決しようとする課題】
図８（Ｂ）に示すように、ポール１７がテープガイドポストアーム１１に及ぼす力Ｆ１が作用する高さ位置Ｈ１と、ストッパ１３がテープガイドポストアーム１１に及ぼす力Ｆ２が作用する高さ位置Ｈ２との間には、高さ方向のずれＣがある。よって、テープガイドポストアーム１１には、その長手方向の軸線１８に関して回動するように傾けるモーメントＭ１が作用し、このため、テープガイドポストアーム１１が傾いて、テープガイドポスト１２は先端が矢印Ｄ方向に変位するよに倒れる。このテープガイドポスト１２の倒れは、軸受け部１１ａと固定軸１６と嵌合部分によって制限される。通常はこの嵌合部分の隙間が僅かであるため、テープガイドポスト１２の倒れは磁気テープの走行の安定性を損なわない程度に小さくなっている。
【０００６】
しかし、例えば、軸受け部１１ａと固定軸１６との間の嵌合の隙間が大きめである場合には、テープガイドポスト１２の倒れが大きくなって、磁気テープの走行の安定性が不安定となって、磁気テープをその幅方向に寄せる無用な力が発生し、場合によっては、磁気テープの幅方向の端を傷めたり、トラッキングにずれが発生して記録再生が正常に行なわれなくなってしまう虞れがあった。
【０００７】
ここで、ポール１７の長さを長くして、上記高さ方向のずれＣを小さくして、テープガイドポスト１２を倒れにくくすることが考えられる。しかし、このようにすると、引きアーム１４がＡ方向に引かれたときにポール１７を倒そうとしてポール１７の根元にかかる力が大きくなって、引きアーム１４が捩じれるように変形してしまう虞れがある。よって、ポール１７の長さを長くすることは好ましくない。
【０００８】
そこで、本発明は上記課題を解決した磁気テープ記録再生装置のテープガイドポスト機構を提供することを目的とする。
【０００９】
【課題を解決するための手段】
請求項１の発明は、テープガイドポスト７１が立っているテープガイドポストアーム７０が回動可能に支持されており、該テープガイドポストアームがストッパ７２に押し当たる位置まで回動されて、上記テープガイドポストが装着されたカセット２０から磁気テープを引き出し、カセットから引き出された磁気テープに記録再生を行なう磁気テープ記録再生装置において、
上記テープガイドポストアーム７０を、その一部に、カセットから磁気テープを引き出すように回動したときに、装着されたカセットの底面２０ｂ１に当たる当接部分１００を設けた構成とし、
該テープガイドポストアームが上記ストッパに押し当たった状態において、上記当接部分１００の上面が装着されたカセットの底面２１ｂ１に当たって、該テープガイドポストアームが上記テープガイドポスト７１が倒れる方向に傾斜することを制限するようにしたものである。
【００１０】
当接部分の上面が装着されたカセットの底面に当たることによって、テープガイドポストアームが上記テープガイドポスト７１が倒れる方向に傾斜することを制限するため、テープガイドポストアームの軸受け部の固定軸との嵌合の精度のばらつきの影響を受けないでテープガイドポスト７１の倒れを防止出来る。即ち、テープガイドポストアームの軸受け部の固定軸との嵌合の公差が大きめであり、従来であればテープガイドポスト７１の倒れが大きくなり易い場合であっても、テープガイドポスト７１の倒れを制限することが可能となる。
【００１１】
請求項２の発明は、当接部分１００は、上記テープガイドポストアームが回動して上記ストッパ７２に押し当たるより以前に、上記装着されたカセット２０の底面２１ｂ１側に潜り込む構成としたものである。
テープガイドポストアームが回動してストッパに押し当たると、当接部分は上方向に変位し、よって、装着されたカセットの底面側に潜り込みにくくなる。しかし、本発明によれば、当接部分は、上記テープガイドポストアームが回動して上記ストッパに押し当たるより以前に、上記装着されたカセットの底面側に入り込む構成であるため、当接部分は上方向に変位する以前にカセットの底面の下側に到ることになり、当接部分のカセットの底面側への潜り込みは円滑になされる。
【００１２】
請求項３の発明は、当接部分１００は、上記テープガイドポストアームが回動したときに上記装着されたカセットの底面側に最初に入り込む側に傾斜面である潜り込みガイド部１００ｂを有する構成としたものである。
当接部分の上面が装着されたカセットの底面より若干上側である場合であっても、傾斜面である潜り込みガイド部がカセットの底面と側面との角部に案内されることによって、当接部分が装着されたカセットの底面側に入り込むことが可能となる。
【００１３】
請求項４の発明は、軸受け部７０ａを有し且つテープガイドポスト７１が立っているテープガイドポストアーム７０がその軸受け部７０ａを軸８０に嵌合させて回動可能に支持されており、カセット２０がその底面２１ｂ１で上記軸受け部７０ａの上端面７０ａ１を押して装着され、該テープガイドポストアームがストッパに押し当たる位置まで回動されて、上記テープガイドポストが装着されたカセットから磁気テープを引き出し、カセットから引き出された磁気テープに記録再生を行なう磁気テープ記録再生装置において、
上記テープガイドポストアームを、その一部に、上面１００ａが上記軸受け部７０ａの上端面７０ａ１と同じ高さとされて形成してあり、カセットから磁気テープを引き出すように回動したときに、装着されたカセットの底面２０ｂ１に当たる当接部分１００を設けた構成とし、
該テープガイドポストアームが上記ストッパに押し当たった状態において、上記当接部分が装着されたカセットの底面に当たって、該テープガイドポストアームが上記テープガイドポストが倒れる方向に傾斜することを制限するようにしたものである。
【００１４】
カセットがその底面で軸受け部の上端面を押して装着される構成であるものであって、当接部分がその上面が上記軸受け部の上端面と同じ高さとされて形成してあるため、テープガイドポストが倒れる方向に傾斜することを制限することを、カセットの装着位置のバラツキの影響を受けないで実現することが可能となる。
【００１５】
【発明の実施の形態】
先ず、説明の便宜上、本発明のテープガイドポスト機構が適用してあるＤＡＴストリーマ５０について、図１及び図２を参照して、概略的に説明する。ＤＡＴストリーマ５０は、シャーシ４８上に、ＤＡＴテープカセット２０を装着するＤＡＴテープカセット装着機構５１、回転ヘッド５２ａを有する回転ドラム５２、ピンチローラ５３、キャプスタン５４、ローディングポール５５，５６、供給リール軸５７、巻取りリール軸５８、本発明の一実施例の供給リール軸側テープガイドポスト機構６０及び巻取りリール軸側テープガイドポスト機構６１、テープローディング機構４９等を有する。シャーシ４８の上側にサブシャーシ４７が設けてあり、供給リール軸側テープガイドポスト機構６０及び巻取りリール軸側テープガイドポスト機構６１の一部、ローディングポール５５，５６等はサブシャーシ４７上に設けてある。
【００１６】
ＤＡＴテープカセット２０は、テープカセット本体２１と、テープカセット本体２１の前側（Ｙ１方向側）の蓋２２と、テープカセット本体２１の底面２１ａ側のスライダ２３とよりなり、テープカセット本体２１内に供給リール２４と巻取りリール２５と磁気テープ２６とが収容されている構成である。磁気テープ２６は各リールに巻かれ、且つ、テープカセット本体２１の前面側をＸ１，Ｘ２方向に延在している。図示の便宜上、スライダ２３はＹ２方向にスライドさせてある。テープカセット本体２１のＹ１方向端側には広い凹部２７が形成してある。通常はスライダ２３はＹ１方向にスライドされており、凹部２７を塞いでいる。テープカセット本体２１は、凹部２７の両側に張り出た張り出し部２１ｂ，２１ｃを有する。この張り出し部２１ｂ，２１ｃは、底面２１ｂ１，２１ｃ１と、位置決め孔２１ｂ２，２１ｃ２を有する。
【００１７】
ＤＡＴテープカセット２０を蓋２２を先頭にしてＤＡＴストリーマ５０内にＹ１方向に挿入すると、ＤＡＴテープカセット装着機構５１が動作して、ＤＡＴテープカセット２０は最初にＹ１方向内に移動され、次いでＺ２方向に移動されて所定の位置に装着される。装着の過程で、スライダ２３がＹ２方向にスライドされ、蓋２２が開かれる。また、供給リール２４及び巻取りリール２５が供給リール軸５７及び巻取りリール軸５８と嵌合する。また、ピンチローラ５３、ローディングポール５５，５６等が凹部２７内に相対的に入る。
【００１８】
続いて、ＤＡＴストリーマ５０のテープローディング機構４９が動作して、図２に示すように、装着されたＤＡＴテープカセット２０から磁気テープ２６がローディングポール５５、５６、供給リール軸側テープガイドポスト６２、巻取りリール軸側テープガイドポスト６３によって引き出され、回転ヘッド５２ａを有する回転ドラム５２に巻付けられ、ピンチローラ５３が回転しているキャプスタン５４に圧着される。磁気テープ１５２は、テープガイドポスト６２、ローディングポール５５、５６、テープガイドポスト６３等によって案内されて、矢印Ｆで示すように順方向に走行され、情報が回転ヘッド５２ａによって磁気テープ２６に記録され又は回転ヘッド５２ａが磁気テープ２６に記録されている情報を再生する。キャプスタンモータが逆転してキャプスタン５４が時計方向に回転されると、磁気テープ２６は矢印Ｒで示すように逆方向に走行されて少しもどされる。磁気テープ２６への情報の記録は、記録した場所を再生して記録がされていることを確認しながら行われる。よって、キャプスタン５４が反時計方向の回転と時計方向の回転を頻繁に繰り返し、磁気テープ２６は順方向の走行と逆方向の走行とを頻繁に繰り返しながら走行する。
【００１９】
次に、本発明の一実施例の供給リール軸側テープガイドポスト機構６０について、図３（Ａ），（Ｂ）、図４（Ａ）乃至（Ｄ）、図５（Ａ），（Ｂ）、図６（Ａ）乃至（Ｃ）を参照して説明する。
図４（Ａ）、図５（Ａ）、図６（Ａ）はテープローディング動作開始前の状態、図４（Ｂ），（Ｃ）、図６（Ｂ）はテープローディング動作途中の状態、図３（Ａ），（Ｂ）、図４（Ｄ）、図５（Ｂ）、図６（Ｃ）はテープローディング動作完了後の状態を示す。
【００２０】
図４（Ａ），図５（Ａ）に示すように、供給リール軸側テープガイドポスト機構６０は、テープガイドポストアーム７０と、供給リール軸側テープガイドポスト７１と、ストッパ７２と、リンク７３と、第１の作動アーム７４と、第２の作動アーム７５と、カムプレート７６等を有する構成である。
テープガイドポストアーム７０はサブシャーシ４７の上面側に設けてあり、ストッパ７２はサブシャーシ４７の上面に固定してあり、第１の作動アーム７４、第２の作動アーム７５及びカムプレート７６はシャーシ４８の上面側に設けてある。
【００２１】
テープガイドポストアーム７０は、基部側に軸受け部７０ａを有し、先端側にテープガイドポスト７１が固定してあり、図４（Ａ），図５（Ｂ）に示すように、中央部に、筒部７０ｂを有する。図４（Ａ）乃至（Ｄ）では、図示の便宜上、テープガイドポスト７１を簡略化して示してある。テープガイドポストアーム１１は、軸受け部７０ａをサブシャーシ４８に植設してあるカセット位置決め固定軸８０に嵌合させて回動可能に支持されており、ばね８１によってＺ１方向に押し上げられている。
【００２２】
第１の作動アーム７４には、軸８２がＺ２方向に延びて植設してある。第２の作動アーム７５は、軸受け孔７５ａを軸８２に嵌合させて、第１の作動アーム７４の下側に設けてある。軸８２がシャーシ４９の軸受け孔４９ａに嵌合してあり、第１の作動アーム７４と第２の作動アーム７５とは独立に回動可能である。第１の作動アーム７４と第２の作動アーム７５との間には、圧縮コイルばね８３がかけてあり、第１の作動アーム７４と第２の作動アーム７５とは、第１の作動アーム７４の折り曲げ部７４ａと第２の作動アーム７５の先端側の部分７５ｂとが押し当たっており、一体化されている。
【００２３】
第１の作動アーム７４の上面には、リンク７３の一端が回動可能に接続してある。このリンク７３の他端には、ポール８４がＺ１方向に突き出て植設してある。このポール８４が、上記のテープガイドポストアーム７０の筒部７０ｂ内に嵌合している。
第２の作動アーム７５の下面には、ローラ８５が設けてある。このローラ８５が、シャーシ４９の上面側に設けてあるカムプレート７６の凹部７６ａに嵌合している。カムプレート７６は、テープローディング機構４９のテープローディング動作によってＸ２方向にスライドされる。
【００２４】
テープローディング動作開始前では、図４（Ａ）、図５（Ａ）、図６（Ａ）に示すように、テープガイドポストアーム７０は時計方向に回動している。
ＤＡＴテープカセット２０は、位置決め孔２１ｂ２をカセット位置決め固定軸８０に嵌合させて、別の位置決め孔２１ｃ２を対応するカセット位置決め固定軸８６に嵌合させて、位置決めされて装着される。テープガイドポストアーム７０は、軸受け部７０ａをＤＡＴテープカセット２０の張り出し部２１ｂの底面２１ｂ１によって少し押し下げられ、ばね８１を撓ませて少し沈み、テープガイドポストアーム７０及びテープガイドポスト７１は装着されたＤＡＴテープカセット２０に対応した高さになる。テープガイドポスト７１は凹部２７内に相対的に入る。
【００２５】
続いて、ＤＡＴストリーマ５０のテープローディング機構４９が動作して、カムプレート７６がＸ２方向にスライドされ、ローラ８５を押し、第２の作動アーム７５が反時計方向に、図５（Ｂ）及び図６（Ｃ）に示す最終位置まで回動される。最初の段階では、第１の作動アーム７４が第２の作動アーム７５と一体的に反時計方向に回動され、リンク７３によって引かれて、テープガイドポストアーム７０が反時計方向に、図４（Ｂ），（Ｃ），（Ｄ），図６（Ｂ）に示すように回動され、ストッパ７２に当たる位置まで回動される。テープガイドポストアーム７０がストッパ７２に当たった後にも第２の作動アーム７５が更に回動され、圧縮コイルばね８３をのばしつつ、第２の作動アーム７５が第１の作動アーム７４とは独立して回動され、図６（Ｃ）に示す状態となる。第２の作動アーム７５が第１の作動アーム７４とは独立して回動される最後の段階において、圧縮コイルばね８３のばね力によって、テープガイドポストアーム７０がストッパ７２に押し当たった状態となる。
【００２６】
図３（Ａ）に示す平面図上、ポール８４がテープガイドポストアーム７０に及ぼす力Ｆ１０が作用する位置Ｑ１と、線９０との関係は、位置Ｑ１が線９０よりＸ２とＹ２との間の方向に、寸法Ｊ１だけずれている関係にある。線９０は、上記の力Ｆ１０によってテープガイドポストアーム７０が当たっている位置、即ち、テープガイドポストアーム７０のストッパ７２に押し当たっている位置Ｑ２と軸受け部７０ａがカセット位置決め固定軸８０に押し当たっている位置Ｑ３とを結ぶ線である。また、図３（Ｂ）に示す側面図上、力Ｆ１０が作用する高さ位置Ｈ１０と、力Ｆ１０の反作用としてストッパ７２がテープガイドポストアーム７０に及ぼす力Ｆ１１が作用する高さ位置Ｈ１１との間には、高さ方向のずれＪ２がある。よって、テープガイドポストアーム７０には、線９０に関して回動するように傾けるモーメントＭ１０が作用し、このため、テープガイドポストアーム７０が傾いて、テープガイドポスト７１がその先端がＸ１とＹ１との間の方向に傾こうとする。
【００２７】
次に、本発明の要部について説明する。特に図５（Ｂ）に示すように、１００は円形状の凸段形状当接部分であり、テープガイドポストアーム７０のうち筒部７０ｂの上面の部分に形成してある。この凸段形状当接部分１００が形成されている部位は、テープガイドポストアーム７０の上面のうち、上記の線９０よりＸ２とＹ２との間の方向にずれている位置である。この凸段形状当接部分１００は、その上面１００ａがテープガイドポストアーム７０の軸受け部７０ａの上端面７０ａ１と同じ高さとなるように形成してある。また、凸段形状当接部分１００には、全周囲に、傾斜面である潜り込みガイド部１００ｂが形成してある。
【００２８】
次にテープローディング動作時及び記録再生動作時の凸段形状当接部分１００の作用について説明する。
テープガイドポストアーム７０がストッパ７２に押し当たった状態で、凸段形状当接部分１００は、図３（Ａ），（Ｂ）、図４（Ｄ）、図６（Ｃ）に示すように、テープカセット本体２１の張り出し部２１ｂの下側に潜り込んで、張り出し部２１ｂの底面２１ｂ１と当接する。
【００２９】
このため、上記モーメントＭ１０が作用したときに、凸段形状当接部分１００がテープカセット本体２１の張り出し部２１ｂの底面２１ｂ１に押し当たって、テープガイドポストアーム７０の軸受け部７０ａとカセット位置決め固定軸８０との間の隙間が大きめの場合であっても、テープガイドポストアーム７０が傾くことが制限され、よって、テープガイドポスト７１が傾くことが制限されて、テープガイドポスト７１は垂直の状態に保たれる。
【００３０】
よって、磁気テープ２６は安定に走行し、記録再生は正常に行なわれ、且つ、磁気テープ２６の幅方向の端を傷めたりすることは起きない。
また、凸段形状当接部分１００を設けたことによって、軸受け部７０ａの高さ寸法を従来より短くすることも可能となり、これによって、ＤＡＴストリーマ５０の薄型化が可能となる。
【００３１】
また、図４（Ｃ），（Ｄ）に示すように、凸段形状当接部分１００は、テープガイドポストアーム７０がストッパ７２に押し当たる直前にテープカセット本体２１の張り出し部２１ｂの底面２１ｂ１の下側に潜り込む。
テープガイドポストアーム７０がストッパ７２に押し当たると、上記モーメントＭ１０によってテープガイドポストアーム７０が傾いて、凸段形状当接部分１００がＺ１方向に変位して、張り出し部２１ｂの底面２１ｂ１の下側に潜り込み難くなる。しかし、テープガイドポストアーム７０がストッパ７２に押し当たるより以前に凸段形状当接部分１００が張り出し部２１ｂの底面２１ｂ１の下側に対向するようになっているため、凸段形状当接部分１００の張り出し部２１ｂの底面２１ｂ１の下側への潜り込みは円滑になされる。また、凸段形状当接部分１００は潜り込みガイド部１００ｂを有しているため、凸段形状当接部分１００が張り出し部２１ｂに近づいた状態で凸段形状当接部分１００の上面が張り出し部２１ｂの底面２１ｂ１より若干高い場合であっても、凸段形状当接部分１００が張り出し部２１ｂの底面２１ｂ２と前側の側面２１ｂ３とが形成する角部２１ｂ４に当たってテープガイドポストアーム７０がそれ以上回動することを制限されることは起きず、潜り込みガイド部１００ｂが張り出し部２１ｂの底面２１ｂ１と前面２１ｂ３との角部２１ｂ４によって案内されて、張り出し部２１ｂの底面２１ｂ１の下側へ円滑に潜り込む。
【００３２】
凸段形状当接部分１００が形成される部位はテープガイドポストアーム７０のうち筒部７０ｂの上面の部分に限定されるものではなく、上記の諸条件を満足する位置であればよい。
また、上記実施例は、カセット２０がその底面でテープガイドポストアーム７０の軸受け部７０ａの上端面７０ａ１を押して装着され、テープガイドポストアーム７０の高さ位置が装着されたカセット２０の高さ位置で決定される構成であるものであって、当接部分１００がその上面１００ａが上記軸受け部８０の上端面８０ａと同じ高さとされて形成してあるため、テープガイドポスト７１が倒れる方向に傾斜することを制限することを、カセット２０の装着位置のバラツキの影響を受けないで実現出来る。換言すれば、カセット２０の装着位置がばらついても、テープガイドポスト７１が倒れる方向に傾斜することが制限される。
【００３３】
巻取りリール軸側テープガイドポスト機構６１についても、上記の供給リール軸側テープガイドポスト機構６０と同じく構成してあり、張り出し部２１ｃの底面２１ｃ１を利用してテープガイドポスト８６が傾斜することが制限されている。
【００３４】
【発明の効果】
以上説明したように、請求項１の発明は、テープガイドポストアームを、その一部に、カセットから磁気テープを引き出すように回動したときに、装着されたカセットの底面に当たる当接部分を有する構成とし、テープガイドポストアームがストッパに押し当たった状態において、当接部分の上面が装着されたカセットの底面に当たる構成であるため、テープガイドポストアームの軸受け部の固定軸との嵌合の精度のばらつきの影響を受けないでテープガイドポストの倒れを防止出来る。即ち、テープガイドポストアームの軸受け部の固定軸との嵌合の公差が大きめであり、従来であればテープガイドポストの倒れが大きくなり易い場合であっても、テープガイドポストの倒れを制限することが出来る。よって、特に、テープガイドポストアームの軸受け部の固定軸との嵌合の公差が大きめである場合であっても、磁気テープが安定に走行するように出来、記録再生を正常に行なうことが出来、且つ、磁気テープの幅方向の端を傷めたりすることが起きないように出来る。
【００３５】
請求項２の発明は、当接部分は、上記テープガイドポストアームが回動して上記ストッパに押し当たるより以前に、上記装着されたカセットの底面側に潜り込む構成としたものである。テープガイドポストアームが回動してストッパに押し当たると、当接部分は上方向に変位し、よって、装着されたカセットの底面側に潜り込みにくくなる。しかし、本発明によれば、当接部分は、上記テープガイドポストアームが回動して上記ストッパに押し当たるより以前に、上記装着されたカセットの底面側に入り込む構成であるため、当接部分は上方向に変位する以前にカセットの底面の下側に到ることになり、当接部分のカセットの底面側への潜り込みが円滑になされるように出来る。
【００３６】
請求項３の発明は、当接部分は、上記テープガイドポストアームが回動したときに上記装着されたカセットの底面側に最初に入り込む側に傾斜面である潜り込みガイド部を有する構成としたものであるため、当接部分の上面が装着されたカセットの底面より若干上側である場合であっても、傾斜面である潜り込みガイド部がカセットの底面と側面との角部に案内されることによって、当接部分が装着されたカセットの底面側に入り込むことが可能となる。
【００３７】
請求項４の発明は、カセットがその底面で軸受け部の上端面を押して装着される構成であるものであって、当接部分がその上面が上記軸受け部の上端面と同じ高さとされて形成してあるため、テープガイドポストが倒れる方向に傾斜することを制限することを、カセットの装着位置のバラツキの影響を受けないで実現することが可能となる。即ち、カセットの装着位置にバラツキがあってもテープガイドポストの倒れを良好に制限することが出来る。
【図面の簡単な説明】
【図１】本発明のテープガイドポスト機構が適用してあるＤＡＴストリーマの全体構成を示す図である。
【図２】図１のＤＡＴストリーマの記録再生時のテープパスを概略的に示す図である。
【図３】本発明の一実施例の供給リール軸側テープガイドポスト機構のテープローディング完了後の状態を示す図である。
【図４】図３の供給リール軸側テープガイドポスト機構のテープガイドポストアームのテープローディング時の動作を、テープカセットの前側から見て示す図である。
【図５】供給リール軸側テープガイドポスト機構の動作前と動作後との状態を示す斜視図である。
【図６】供給リール軸側テープガイドポスト機構の動作前と、動作途中と、動作後との状態を示す斜視図である。
【図７】従来のテープガイドポスト機構を示す斜視図である。
【図８】図７のテープガイドポスト機構の動作後の状態を示す図である。
【符号の説明】
２０  ＤＡＴテープカセット
２０ｂ  張り出し部
２０ｂ１  底面
５０  ＤＡＴストリーマ
５２  回転ドラム
６０  供給リール軸側テープガイドポスト機構
７０  テープガイドポストアーム
７０ａ  軸受け部
７０ａ１  上端面
７１  供給リール軸側テープガイドポスト
７２  ストッパ
７３  リンク
７４  第１の作動アーム
７５  第２の作動アーム
７６  カムプレート
８０  固定軸
１００  凸段形状当接部分
１００ａ  上面
１００ｂ  潜り込みガイド部
【図１】
0003918341.tif 000002
【図２】
0003918341.tif 000003
【図３】
0003918341.tif 000004
【図４】
0003918341.tif 000005
【図５】
0003918341.tif 000006
【図６】
0003918341.tif 000007
【図７】
0003918341.tif 000008
【図８】
0003918341.tif 000009